(57)【特許請求の範囲】
【請求項１】
入力端子と、出力端子と、前記入力端子および前記出力端子の間に配置される複数の誘電体共振器と、を備え、少なくとも１つの誘電体共振器が、第１の無負荷Ｑを有し、残りの誘電体共振器が、前記第１の無負荷Ｑよりも大きい第２の無負荷Ｑを有する誘電体フィルタにおいて、
円筒形の複数の空洞をそれぞれ形成する複数の空洞内壁を有する金属性の筐体と、前記空洞内にその空洞内壁からそれぞれ離隔して設置される円筒状の複数の誘電体と、を備え、前記複数の誘電体共振器が、前記誘電体によってそれぞれ構成され、
前記複数の空洞は、前記複数の誘電体共振器のＱ値に応じた半径および深さを有し、かつ、挿入損失が劣化しない範囲でそれぞれが最小になるよう形成されており、
隣り合う前記誘電体共振器が互いに電磁気的に結合するよう、前記空洞内壁に結合窓が形成されていることを特徴とする誘電体フィルタ。
【請求項２】
前記第２の無負荷Ｑは、前記第１の無負荷Ｑのほぼ３倍であることを特徴とする請求項１に記載の誘電体フィルタ。
【請求項３】
前記複数の誘電体共振器のうち少なくとも２つの誘電体共振器が、隣接する３つの誘電体共振器と互いに電磁気的にそれぞれ結合するよう、前記内壁に結合窓が形成されていることを特徴とする請求項１又は２に記載の誘電体フィルタ。
【発明の詳細な説明】
【技術分野】
【０００１】
本発明は、誘電体フィルタに関するものであり、特に挿入損失が改善された低損失誘電体フィルタに関するものである。
【背景技術】
【０００２】
従来、この種の誘電体フィルタとして、コイルによる誘導結合を利用して隣り合う誘電体共振器を結合させたり、それぞれの共振器から漏れる電磁波を利用して隣り合う誘電体共振器を結合させる多段の誘電体フィルタが知られている。誘電体共振器を互いにコイルで結合させる場合には、コイルのＱ値が他の電気素子のＱ値よりも小さくなり、誘電体フィルタの通過帯域における挿入損失を増加させる原因となる。コイルに起因する挿入損失を低減させるために、コイルを、コイルと等しいインピーダンスを有する誘電体共振器に置き換えた多段の誘電体フィルタ（例えば、特許文献１参照）が知られている。
【０００３】
特許文献１に示す誘電体フィルタ３００は、図１３に示すように、第１の誘電体共振器３０１、３０２と、第２の誘電体共振器３０３、３０４と、入出力端子３０５、３０６と、を備えており、第２の誘電体共振器３０３、３０４は、第１の誘電体共振器３０１、３０２が電磁気的に互いに結合するよう構成されている。また、入出力端子３０５、３０６と、第１の誘電体共振器３０１、３０２と、第２の誘電体共振器３０３、３０４は、いずれも基板に設置されており、基板上のプリント配線によって互いに接続されている。
【特許文献１】特開平９−２３２８１２号公報
【発明の開示】
【発明が解決しようとする課題】
【０００４】
しかしながら、特許文献１に示す誘電体フィルタ３００は、誘電体フィルタの段数を増加させるために、増加した段数と等しい数の第２の誘電体共振器を基板に追加しなければならなかった。また、誘電体フィルタの挿入損失を低減するために、誘電体の体積および重量を一律に増加させ、各誘電体共振器の無負荷Ｑを一律に上げていた。しかしながら、誘電体フィルタの体積や重量に制限がある場合には、各誘電体共振器の無負荷Ｑを十分に増加できず、挿入損失の改善ができないという問題があった。
【０００５】
本発明は、従来の問題を解決するためになされたもので、体積および重量を大幅に増加させることなく通過帯域における挿入損失の低減化と伝送特性の平坦化を実現することができる誘電体フィルタを提供することを目的とする。
【課題を解決するための手段】
【０００６】
本発明の誘電体フィルタは、入力端子と、出力端子と、前記入力端子および前記出力端子の間に配置される複数の誘電体共振器と、を備え、少なくとも１つの誘電体共振器が、第１の無負荷Ｑを有し、残りの誘電体共振器が、前記第１の無負荷Ｑよりも大きい第２の無負荷Ｑを有する誘電体フィルタにおいて、円筒形の複数の空洞をそれぞれ形成する複数の空洞内壁を有する金属性の筐体と、前記空洞内にその空洞内壁からそれぞれ離隔して設置される円筒状の複数の誘電体と、を備え、前記複数の誘電体共振器が、前記誘電体によってそれぞれ構成され、前記複数の空洞は、前記複数の誘電体共振器のＱ値に応じた半径および深さを有し、かつ、挿入損失が劣化しない範囲でそれぞれが最小になるよう形成されており、隣り合う前記誘電体共振器が互いに電磁気的に結合するよう、前記空洞内壁に結合窓が形成されていることを特徴とする。
【０００７】
この構成により、本発明の誘電体フィルタは、少なくとも１つの誘電体共振器の無負荷Ｑを残りの誘電体共振器よりも小さくできるので、すべての誘電体共振器に高い無負荷Ｑを用いる従来の多段誘電体フィルタに比べて重量を低減することができる。また、複数の誘電体共振器を１つの筐体内に形成できるので、誘電体フィルタを小型で軽量にすることができる。また、結合素子を用いずに隣り合う誘電体共振器を結合させることができるので、誘電体フィルタを小型で軽量にすることができる。
【００１０】
さらに、本発明の誘電体フィルタは、前記第２の無負荷Ｑは、前記第１の無負荷Ｑのほぼ３倍である構成を有している。
【００１１】
この構成により、本発明の誘電体フィルタは、通過帯域に対する挿入損失を低減できるとともに、通過帯域内における伝送特性を平坦化することができる。
【００１６】
さらに、本発明の誘電体フィルタは、前記複数の誘電体共振器のうち少なくとも２つの誘電体共振器が、隣接する３つの誘電体共振器と互いに電磁気的にそれぞれ結合するよう、前記内壁に結合窓が形成されている構成を有している。
【００１７】
この構成により、本発明の誘電体フィルタの伝送特性が、通過帯域の前後に伝送零点となる周波数を有するので、通過帯域の前後における挿入損失を急激に高めることができ、所望の周波数帯域外の電磁波を確実に減衰させることができる。
【発明の効果】
【００１８】
本発明は、筐体の質量および体積を大幅に増加させずに通過帯域における伝送損失の低減化および平坦化を実現でき、しかも小型かつ軽量でありながら高いフィルタ性能を有する誘電体フィルタを提供することができるものである。
【発明を実施するための最良の形態】
【００１９】
以下、本発明の実施の形態の誘電体フィルタについて、図面を用いて説明する。
（第１の実施の形態）
本発明の第１の実施の形態に係る誘電体フィルタについて、図１乃至図６を参照して説明する。
【００２０】
本実施の形態に係る誘電体フィルタ１０は、図１に示すように、８段フィルタとして機能するものであり、誘電体によって形成される第１乃至第８の誘電体共振器２１乃至２８と、第１の誘電体共振器２１に電磁波を入力するための入力側トランス３１と、第８の誘電体共振器２８から電磁波を出力するための出力側トランス３２とを備えている。なお、図１に示す誘電体共振器２１乃至２８間の矢印Ａは、誘電体共振器２１乃至２８が互いに電磁気的に結合していることを表わしている。入力側トランス３１は、入力端子３１ａを有し、出力側トランス３２は、出力端子３２ａを有している。
【００２１】
誘電体フィルタ１０は、図２に示すように、金属性の筐体１１を備え、この筐体１１は複数の円筒形の空洞をそれぞれ形成する複数の空洞内壁４１乃至４８を有している。第１乃至第８の誘電体共振器２１乃至２８は、筒状に形成されており、複数の空洞内にその空洞内壁４１乃至４８から空間Ｓをもってそれぞれ離隔して設置される。空洞内壁４１乃至４８の空洞は、第１乃至第８の誘電体共振器２１乃至２８をそれぞれ構成する誘電体のＱ値に応じた半径および深さを有するよう形成されている。誘電体フィルタの挿入損失が所定の基準値よりも劣化することがない範囲において、第２の無負荷Ｑを有する誘電体共振器の空洞の半径を最小にする場合には、筐体１１の体積および重量をより一層低減できるので好ましい。
【００２２】
ここで、図２に示す第１乃至第８の誘電体共振器２１乃至２８および空洞内壁４１乃至４８は、筐体１１内に４個づつ２列に並ぶよう配置される。この配置の場合には、筐体１１の体積がコンパクトになるとともに、入力端子３１ａおよび出力端子３２ａを筐体１１の同一の側面に設置できるので好ましい。
【００２３】
第１乃至第８の誘電体共振器２１乃至２８は、図３に示すように、低誘電率の支持体７１乃至７８によってそれぞれ支持されており、誘電体共振器２１乃至２８に励振された電磁波が、空洞内壁４１乃至４８を構成する金属壁によって減衰されないようになっている。入力側トランス３１の入力端子３１ａおよび出力側トランス３２の出力端子３２ａは、ループ状の内部導体３１ｂおよび３２ｂをそれぞれ有し、この内部導体３１ｂ、３２ｂは空洞内壁４１および４８により形成される空洞内に設けられ、例えば、外部の回路に接続されて回路からの電磁波を第１の誘電体共振器２１に入力し、第８の誘電体共振器２８から出力するようになっている。第１および第８の誘電体共振器２１、２８は、内部導体３１ｂ、３２ｂから所定の間隔をもって離隔して設置される。ここで、入力端子３１ａおよび出力端子３２ａの内部導体３１ｂ、３２ｂが第１および第８の誘電体共振器２１、２８に近すぎる場合には、第１および第８の誘電体共振器２１、２８に励振された電磁波の分布が内部導体３１ｂ、３２ｂによって影響を受けるため、第１および第８の誘電体共振器２１、２８の無負荷Ｑが低下し、その結果誘電体フィルタの伝送損失が増大する。一方、入力端子３１ａおよび出力端子３２ａの内部導体３１ｂ、３２ｂが、第１および第８の誘電体共振器２１、２８から離れすぎる場合には、誘電体フィルタ１０に入出力する電磁波が不十分となる。したがって、第１および第８の誘電体共振器２１、２８と内部導体３１ｂ、３２ｂとの間隔は、上述のことを考慮して決定される。
【００２４】
筐体１１には、第１の誘電体共振器２１と第２の誘電体共振器２２が互いに電磁気的に結合されるよう、結合窓６１が形成されている。同様に、第２および第３の誘電体共振器２２、２３の間、第３および第４の誘電体共振器２３、２４の間、第４および第５の誘電体共振器２４、２５の間、第５および第６の誘電体共振器２５、２６の間、第６および第７の誘電体共振器２６、２７の間、第７および第８の誘電体共振器２７、２８の間の筐体１１にも、結合窓６２乃至６７がそれぞれ形成されている。隣り合う誘電体共振器間の結合度は、結合窓６１乃至６７の大きさによって調節されるようになっている。ここで、隣り合う誘電体共振器とは、互いに前後の段を構成する一組の誘電体共振器をいう。
【００２５】
誘電体フィルタ１０は、隣り合う共振器間の結合窓のほかに、第３の誘電体共振器２３と第６の誘電体共振器２６とを電磁気的に結合するための結合窓など、隣り合わない誘電体共振器間の結合窓を有し、図１に示す結合Ｂが生じるようにしてもよい。すなわち、第３の誘電体共振器２３および第６の誘電体共振器２６は、隣接する３つの誘電体共振器と電磁気的に結合するようになっている。ここで、隣接する３つの誘電体共振器とは、その誘電体共振器に対して前後の段を構成する２つの誘電体共振器と、隣の列に形成された４つの誘電体共振器のうち最も近接した位置にある１つの誘電体共振器をいう。
【００２６】
隣り合わない共振器間の結合窓を有するフィルタは、例えば、
R. J. Cameron, General coupling matrix synthesis methods for Chebyshev filtering functions, IEEE Trans on MTT, vol. 47, No. 4, pp. 433-443, Apr. 1999
に記載されているように、通過帯域と遮断帯域との間の遷移領域において、伝送零点を含む伝送特性を有するので、急峻なカット特性を有する誘電体フィルタとして機能する。また、隣り合わない誘電体共振器間の結合窓の位置を、第３の誘電体共振器２３と第６の誘電体共振器２６以外の誘電体共振器間の空洞内壁に形成することにより、伝送特性が、通過周波数帯に対して高周波数側あるいは低周波数側のみに伝送零点を有することもできる。また、伝送零点を形成する必要がない場合には、隣り合う誘電体共振器間のみに結合窓を形成すればよい。
【００２７】
ここで、本発明の第１の実施の形態に係る誘電体フィルタにおいては、８つの誘電体共振器のうち、少なくとも１つ以上の誘電体共振器の無負荷Ｑの値を、残りの誘電体共振器の無負荷Ｑの値に比べて大きくなるようにしている。例えば、第１、第２、第７および第８の誘電体共振器の無負荷Ｑを、第１の無負荷ＱであるＱｏとし、第３乃至第６の誘電体共振器の無負荷Ｑを、第２の無負荷Ｑとし、第１の無負荷Ｑの３倍となるようにしている。第１の無負荷Ｑを有する誘電体共振器の数と、第２の無負荷Ｑを有する誘電体共振器の数との比を適切に選ぶことによって、従来の誘電体フィルタより軽量で、かつ、通過帯域における挿入損失が低減化および平坦化された伝送特性を有することができる。
【００２８】
誘電体共振器の無負荷Ｑの値は、それぞれの誘電体共振器を構成する誘電体のＱ値により調節するようになっている。本実施の形態においては、無負荷ＱがＱｏとなる誘電体共振器を構成する誘電体のＱ値は８０００であり、無負荷Ｑが３Ｑｏとなる誘電体共振器を構成する誘電体のＱ値は２２０００である。
【００２９】
筐体１１は、さらに蓋部１２を有しており、複数の空洞が蓋部１２によって遮蔽されるようになっている。
【００３０】
このとき、蓋部１２が、誘電体共振器２１乃至２８の共振周波数を調整するための複数の共振周波数調整ねじを有していてもよい。この場合、複数の共振周波数調整ねじの中心軸が、誘電体共振器２１乃至２８の中心軸の延長線とそれぞれ重なるように設置する。共振周波数調整ねじと誘電体共振器２１乃至２８との間隔を調節することによって、誘電体共振器２１乃至２８の共振周波数をそれぞれ変化させる。
【００３１】
また、筐体１１が、結合窓６１乃至６７の大きさを調節するための複数の結合度調整棒を有していてもよい。この場合、結合度調整棒が、結合窓近傍における電界の向きと平行になるよう、結合窓の断面上において、筐体１１の底面と平行な方向に摺動するように設置する。また、結合度調整棒の代わりに雄ねじを用い、筐体１１に雌ねじを形成することにより、各誘電体共振器間の結合度がねじ送り機構により調節されるようにしてもよい。
【００３２】
以上のように構成された本実施の形態に係る誘電体フィルタ１０の伝送特性を図４に示す。図４（ａ）は、各々の誘電体共振器の無負荷ＱがＱｏの場合における従来の８段誘電体共振器の伝送特性を示すグラフであり、図４（ｂ）は、第１の無負荷Ｑを有する誘電体共振器の数と、第２の無負荷Ｑを有する誘電体共振器の数との比を１：１とした場合における誘電体フィルタ１０の伝送特性を示すグラフである。本実施の形態においては、筐体１１は、加工の容易性や質量などの観点から、アルミニウムにより形成した。また、結合窓６１乃至６７に加え、第３および第６の誘電体共振器２３、２６の間で電磁気的な結合が起こるよう、筐体１１に結合窓を形成した。また、第１、第２、第７および第８の誘電体共振器の無負荷ＱがＱｏとなるよう構成した。一方、第３乃至第６の誘電体共振器の無負荷Ｑが３Ｑｏとなるよう構成した。
【００３３】
図４（ｂ）のグラフが示すように、本実施の形態に係る誘電体フィルタ１０の通過帯域における挿入損失は、図４（ａ）に示す従来の８段誘電体共振器の通過帯域における挿入損失よりも低減され、伝送特性が平坦化されている。
【００３４】
図５は、無負荷Ｑが３Ｑｏとなる誘電体共振器の組み合わせを、第３乃至第６の誘電体共振器、第２、第３、第６および第７の誘電体共振器、第１、第２、第７および第８の誘電体共振器、第１、第４、第５および第８の誘電体共振器の４通りにした場合における誘電体フィルタ１０の通過帯域近傍における伝送特性をそれぞれ示したものである。
【００３５】
図５のグラフが示すように、第３乃至第６の誘電体共振器の無負荷Ｑを３Ｑｏにした場合において、挿入損失が最も低下した。
【００３６】
図６は、図５に示す伝送特性のグラフにおいて、通過帯域内における挿入損失の最大値と最小値との差を表わす損失偏差を示すグラフである。この図から明らかなように、第３乃至第６の誘電体共振器の無負荷Ｑが３Ｑｏである場合において、損失偏差が最も小さくなった。このグラフによると、本実施の形態に係る誘電体フィルタは、挿入損失の低減化とともに、通過帯域における伝送特性の平坦化も可能であることが確認された。
【００３７】
以上説明したように、本実施の形態に係る誘電体フィルタ１０が、第１の無負荷Ｑを有する誘電体共振器と、第２の無負荷Ｑを有する誘電体共振器とを１つの筐体１１内に形成する構成を有しているので、従来の誘電体フィルタよりも小型で、かつ、通過帯域における挿入損失が低減され、かつ平坦化された伝送特性を有することができる。さらに、本実施の形態に係る誘電体フィルタ１０が、第１の無負荷Ｑを有する誘電体共振器と、第２の無負荷Ｑを有する誘電体共振器とを組み合わせる構成を有しているので、第２の無負荷Ｑを有する誘電体共振器のみで構成された従来の多段の誘電体フィルタよりも軽量である誘電体フィルタを実現できる。
（第２の実施の形態）
本発明の第２の実施の形態に係る誘電体フィルタ１００について、図７乃至図９を参照して説明する。
【００３８】
なお、本発明の第２の実施の形態に係る誘電体フィルタ１００を構成する入力側トランス１３１、出力側トランス１３２は、本発明の第１の実施の形態に係る誘電体フィルタ１０を構成する入力側トランス３１、出力側トランス３２とそれぞれ同一の構成であり、その説明を省略する。
【００３９】
図７は、第１乃至第７の誘電体共振器１２１乃至１２７によって構成される７段の誘電体フィルタ１００を示す回路図である。
【００４０】
無負荷Ｑが３Ｑｏである誘電体共振器の個数は、所望の伝送特性に応じて決めればよい。本実施の形態においては、４つの誘電体共振器が無負荷Ｑの値として３Ｑｏを有する場合について説明する。
【００４１】
図８は、無負荷Ｑの値として３Ｑｏを有する４つの誘電体共振器の位置を入れ替えた場合におけるそれぞれの通過帯域近傍の伝送特性を表わすグラフである。第３乃至第６の誘電体共振器の無負荷Ｑが３Ｑｏである場合において、挿入損失が最も小さくなった。
【００４２】
図９は、図８に示す伝送特性のグラフにおいて、通過帯域内における挿入損失の最大値と最小値との差を表わす損失偏差を示すグラフである。この図からも明らかなように、第３乃至第６の誘電体共振器の無負荷Ｑが３Ｑｏである場合において、損失偏差が最も小さくなった。
【００４３】
本実施の形態によると、本発明に係る誘電体フィルタは、７段フィルタとして機能する場合においても、通過帯域における挿入損失の低減化および伝送特性の平坦化が可能であることが確認された。
（第３の実施の形態）
本発明の第３の実施の形態に係る誘電体フィルタ２００について、図１０乃至図１２を参照して説明する。
【００４４】
なお、本発明の第３の実施の形態に係る誘電体フィルタ２００を構成する入力側トランス２３１、出力側トランス２３２は、本発明の第１の実施の形態に係る誘電体フィルタ１０を構成する入力側トランス３１、出力側トランス３２とそれぞれ同一の構成であり、その説明を省略する。
【００４５】
図１０は、第１乃至第５の誘電体共振器２２１乃至２２５によって構成される５段の誘電体フィルタを示す回路図である。
【００４６】
この場合、無負荷Ｑが３Ｑｏである誘電体共振器の個数は、所望の伝送特性に応じて決めればよい。本実施の形態においては、４つの誘電体共振器が無負荷Ｑの値として３Ｑｏを有する場合について説明する。
【００４７】
図１１は、無負荷Ｑの値として３Ｑｏを有する４つの誘電体共振器の位置を入れ替えた場合におけるそれぞれの通過帯域近傍の伝送特性を表わすグラフである。第２乃至第５の誘電体共振器の無負荷Ｑが３Ｑｏである場合において、挿入損失が最も小さくなった。
【００４８】
図１２は、図１１に示す伝送特性のグラフにおいて、通過帯域内における挿入損失の最大値と最小値との差を表わす損失偏差を示すグラフである。この図からも明らかなように、第２乃至第５の誘電体共振器の無負荷Ｑが３Ｑｏである場合において、損失偏差が最も小さくなった。
【００４９】
本実施の形態によると、本発明に係る誘電体フィルタは、５段フィルタとして機能する場合においても、通過帯域における挿入損失の低減化および伝送特性の平坦化が可能であることが確認された。
【００５０】
以上の説明では、第２の無負荷Ｑが、第１の無負荷Ｑのほぼ３倍である場合について説明したが、第２の無負荷Ｑの値は、誘電体共振器における実現可能な無負荷Ｑの値に基づいて定められる。したがって、技術の発展に伴い誘電体共振器の実現可能な無負荷Ｑが高くなった場合においては、第２の無負荷Ｑが第１の無負荷Ｑの３倍以上になってもよい。
【００５１】
また、以上の説明では、誘電体共振器により構成された誘電体フィルタについて説明した。しかしながら、誘電体フィルタを、ＬＣＲ共振器により構成されたフィルタや、導波管共振器により構成された導波管フィルタ、あるいは半同軸型フィルタなどに置き換えてもよい。特に、誘電体フィルタを導波管フィルタに置き換えた場合には、導波管フィルタを構成する各導波管共振器の無負荷Ｑを上記のように組み合わせることにより、導波管フィルタの体積および重量を大幅に増大させることなく、挿入損失の低減化および伝送特性の平坦化を実現することができるので好ましい。また、誘電体フィルタを半同軸型フィルタに置き換えた場合においても、同様の効果が得られるので好ましい。
【産業上の利用可能性】
【００５２】
以上説明したように、本発明に係る誘電体フィルタは、筐体の体積および重量を大幅に増大させることなく挿入損失の低減化および伝送特性の平坦化を実現することができるという効果を有し、通信分野などに適用することができる誘電体フィルタとして有用である。
【図面の簡単な説明】
【００５３】
【図１】本発明の第１の実施の形態に係る誘電体フィルタの構成を示す回路図である。
【図２】本発明の第１の実施の形態に係る誘電体フィルタの構成を示す模式図である。
【図３】（ａ）入力端子および第１の誘電体共振器の近傍を模式的に示す部分段面図である。（ｂ）出力端子および第８の誘電体共振器の近傍を模式的に示す部分段面図である。
【図４】（ａ）従来の誘電体フィルタの伝送特性を示すグラフである。（ｂ）本発明の第１の実施の形態に係る誘電体フィルタの伝送特性を示すグラフである。
【図５】本発明の第１の実施の形態に係る誘電体フィルタの伝送特性を示すグラフである。
【図６】本発明の第１の実施の形態に係る誘電体フィルタの通過帯域における損失偏差を示すグラフである。
【図７】本発明の第２の実施の形態に係る誘電体フィルタの構成を示す回路図である。
【図８】本発明の第２の実施の形態に係る誘電体フィルタの伝送特性を示すグラフである。
【図９】本発明の第２の実施の形態に係る誘電体フィルタの損失偏差を示すグラフである。
【図１０】本発明の第３の実施の形態に係る誘電体フィルタの構成を示す回路図である。
【図１１】本発明の第３の実施の形態に係る誘電体フィルタの伝送特性を示すグラフである。
【図１２】本発明の第３の実施の形態に係る誘電体フィルタの損失偏差を示すグラフである。
【図１３】従来の誘電体フィルタの構成を示す模式図である。
【符号の説明】
【００５４】
１０  誘電体フィルタ
１１  筐体
１２  蓋部
２１乃至２８  第１乃至第８の誘電体共振器
３１  入力側トランス
３２  出力側トランス
４１乃至４８  空洞内壁
６１乃至６７  結合窓
７１乃至７８  支持体
１００  誘電体フィルタ
１２１乃至１２７  第１乃至第７の誘電体共振器
１３１  入力側トランス
１３２  出力側トランス
２００  誘電体フィルタ
２２１乃至２２５  第１乃至第５の誘電体共振器
２３１  入力側トランス
２３２  出力側トランス
３００  誘電体フィルタ
３０１、３０２  第１の誘電体共振器
３０３、３０４  第２の誘電体共振器
３０５、３０６  入出力端子
Ａ  隣り合う誘電体共振器間の結合
Ｂ  隣り合わない誘電体共振器間の結合
Ｓ  空間
【図１】
0004773861.tif 000002
【図２】
0004773861.tif 000003
【図３】
0004773861.tif 000004
【図７】
0004773861.tif 000005
【図１０】
0004773861.tif 000006
【図１３】
0004773861.tif 000007
【図４】
0004773861.tif 000008
【図５】
0004773861.tif 000009
【図６】
0004773861.tif 000010
【図８】
0004773861.tif 000011
【図９】
0004773861.tif 000012
【図１１】
0004773861.tif 000013
【図１２】
0004773861.tif 000014